(57)【要約】【課題】  発信側の通信装置において、予め発信先の通信装置に係る識別情報を保持することなく発信先の通信装置との通信を行う。【解決手段】  本発明は、複数の通信装置と、通信装置間の通信を中継する通信サービス提供装置とを備える通信システムに関する。そして、通信システムは、通信装置の位置に係る位置情報を保持する手段と、通信装置に係る識別情報と匿名情報と位置情報とを対応付けて登録する手段と、発信元の通信装置からの要求に応じて周辺通信装置を検索する手段と、少なくとも周辺通信装置の匿名情報を通信装置により出力する手段と、発信元の通信装置において入力された発信先の通信装置に係る匿名情報を取り込む手段と、入力された匿名情報に基づいて発信先の通信装置に係る識別情報を特定する手段と、発信元の通信装置と発信先の通信装置とを通信サービス提供装置を介して通信させる手段とを有することを特徴とする。【選択図】      図１
2010034658.tif 000002
【特許請求の範囲】
【請求項１】
複数の通信装置と、上記複数の通信装置の間の通信に係るサービスを提供する通信サービス提供装置とを備える通信システムにおいて、
上記通信サービス提供装置は、
それぞれの通信装置の位置に係る位置情報を保持する位置情報保持手段と、
それぞれの通信装置に係る識別情報と、それぞれの通信装置の識別情報とは異なる匿名情報と、上記位置情報保持手段が保持している位置情報とを対応付けて登録する通信装置情報登録手段と、
発信元の通信装置からの要求に応じて、基準位置の周辺に存在する周辺通信装置を、上記通信装置情報登録手段に登録されている情報に基づいて検索する周辺通信装置検索手段と、
少なくとも上記周辺通信装置検索手段により検出された周辺通信装置の匿名情報を、上記発信元の通信装置に通知する情報通知手段と、
上記発信元の通信装置から、発信先の通信装置に係る匿名情報として、周辺通信装置の匿名情報が通知されると、通知された匿名情報と、上記通信装置情報登録手段に登録されている情報とに基づいて、上記発信先の通信装置に係る識別情報を特定する発信先通信装置特定手段と、
上記発信元の通信装置と、上記発信先の通信装置とを通信させる代理通信手段とを有し、
上記通信装置は、
少なくとも基準位置の周辺に存在する周辺通信装置に係る匿名情報を、上記通信サービス提供装置から取得する周辺通信装置情報取得手段と、
上記周辺通信装置情報取得手段が取得した情報を出力する出力手段と、
発信先に係る匿名情報として、周辺通信装置の匿名情報がユーザにより入力されると、入力された匿名情報を取り込む発信先匿名情報入力手段と、
上記発信先匿名情報入力手段により取り込まれた匿名情報に係る通信装置との通信要求を、上記通信サービス提供装置に通知する通信要求手段と、
上記発信先匿名情報入力手段により取り込まれた匿名情報に係る通信装置と、上記通信サービス提供装置を介して通信する通信手段とを有する
ことを特徴とする通信システム。
【請求項２】
上記基準位置は、発信元の通信装置の位置であることを特徴とする請求項１に記載の通信システム。
【請求項３】
上記通信装置は、指定位置に係る情報が、ユーザにより入力されると、入力された指定位置に係る情報を取り込んで、上記サービス提供装置に通知する指定位置情報入力通知手段をさらに有し、
上記基準位置は、発信元の通信装置において、上記指定位置情報入力通知手段により取り込まれた指定位置である
ことを特徴とする請求項１に記載の通信システム。
【請求項４】
上記通信サービス提供装置は、
地図情報を格納している地図情報格納手段と、
上記地図情報格納手段に格納している地図情報から、基準位置の周辺の地図情報を抽出する地図情報抽出手段とをさらに有し、
上記情報通知手段は、さらに、上記地図情報抽出手段により抽出された地図情報を、上記発信元の通信装置に通知し、
上記通信装置は、
上記通信サービス提供装置から、基準位置の周辺の地図情報を取得する地図情報取得手段を有し、
上記出力手段は、少なくとも上記周辺通信装置検索手段により検出された周辺通信装置の匿名情報と共に、上記地図情報取得手段が取得した地図情報を出力する
ことを特徴とする請求項１〜３のいずれかに記載の通信システム。
【請求項５】
複数の通信装置と、上記複数の通信装置の間の通信に係るサービスを提供する通信サービス提供装置とを備える通信システムにおける通信方法において、
位置情報保持手段、通信装置情報登録手段、周辺通信装置検索手段、情報通知手段、発信先通信装置特定手段、代理通信手段、周辺通信装置情報取得手段、出力手段、発信先匿名情報入力手段、通信要求手段、通信手段を有し、
上記位置情報保持手段は、上記通信サービス提供装置において、それぞれの通信装置の位置に係る位置情報を保持し、
上記通信装置情報登録手段は、上記通信サービス提供装置において、それぞれの通信装置に係る識別情報と、それぞれの通信装置の識別情報とは異なる匿名情報と、上記位置情報保持手段が保持している位置情報とを対応付けて登録し、
上記周辺通信装置検索手段は、上記通信サービス提供装置において、発信元の通信装置からの要求に応じて、基準位置の周辺に存在する周辺通信装置を、上記通信装置情報登録手段に登録されている情報に基づいて検索し、
上記情報通知手段は、上記通信サービス提供装置において、少なくとも上記周辺通信装置検索手段により検出された周辺通信装置の匿名情報を、上記発信元の通信装置に通知し、
上記発信先通信装置特定手段は、上記通信サービス提供装置において、上記発信元の通信装置から、発信先の通信装置に係る匿名情報として、周辺通信装置の匿名情報が通知されると、通知された匿名情報と、上記通信装置情報登録手段に登録されている情報とに基づいて、上記発信先の通信装置に係る識別情報を特定し、
上記代理通信手段は、上記通信サービス提供装置において、上記発信元の通信装置と、上記発信先の通信装置とを通信させ、
上記周辺通信装置情報取得手段は、上記通信装置において、少なくとも基準位置の周辺に存在する周辺通信装置に係る匿名情報を、上記通信サービス提供装置から取得し、
上記出力手段は、上記通信装置において、上記周辺通信装置情報取得手段が取得した情報を出力し、
上記発信先匿名情報入力手段は、上記通信装置において、発信先に係る匿名情報として、周辺通信装置の匿名情報がユーザにより入力されると、入力された匿名情報を取り込み、
上記通信要求手段は、上記通信装置において、上記発信先匿名情報入力手段により取り込まれた匿名情報に係る通信装置との通信要求を、上記通信サービス提供装置に通知し、
上記通信手段は、上記通信装置において、上記発信先匿名情報入力手段により取り込まれた匿名情報に係る通信装置と、上記通信サービス提供装置を介して通信する
ことを特徴とする通信方法。
【請求項６】
複数の通信装置と、上記複数の通信装置の間の通信に係るサービスを提供する通信サービス提供装置とを備える通信システムを構成するサービス提供装置において、
それぞれの通信装置の位置に係る位置情報を保持する位置情報保持手段と、
それぞれの通信装置に係る識別情報と、それぞれの通信装置の識別情報とは異なる匿名情報と、上記位置情報保持手段が保持している位置情報とを対応付けて登録する通信装置情報登録手段と、
発信元の通信装置からの要求に応じて、基準位置の周辺に存在する周辺通信装置を、上記通信装置情報登録手段に登録されている情報に基づいて検索する周辺通信装置検索手段と、
少なくとも上記周辺通信装置検索手段により検出された周辺通信装置の匿名情報を、上記発信元の通信装置に通知する情報通知手段と、
上記発信元の通信装置から、発信先の通信装置に係る匿名情報として、周辺通信装置の匿名情報が通知されると、通知された匿名情報と、上記通信装置情報登録手段に登録されている情報とに基づいて、上記発信先の通信装置に係る識別情報を特定する発信先通信装置特定手段と、
上記発信元の通信装置と、上記発信先の通信装置とを通信させる代理通信手段と
を有することを特徴とする通信サービス提供装置。
【請求項７】
複数の通信装置と、上記複数の通信装置の間の通信に係るサービスを提供する通信サービス提供装置とを備える通信システムを構成する通信装置において、
少なくとも基準位置の周辺に存在する周辺通信装置に係る匿名情報を、上記通信サービス提供装置から取得する周辺通信装置情報取得手段と、
上記周辺通信装置情報取得手段が取得した情報を出力する出力手段と、
発信先に係る匿名情報として、周辺通信装置の匿名情報がユーザにより入力されると、入力された匿名情報を取り込む発信先匿名情報入力手段と、
上記発信先匿名情報入力手段により取り込まれた匿名情報に係る通信装置との通信要求を、上記通信サービス提供装置に通知する通信要求手段と、
上記発信先匿名情報入力手段により取り込まれた匿名情報に係る通信装置と、上記通信サービス提供装置を介して通信する通信手段と
を有することを特徴とする通信装置。
【請求項８】
複数の通信装置と、上記複数の通信装置の間の通信に係るサービスを提供する通信サービス提供装置とを備える通信システムを構成するサービス提供装置に搭載されたコンピュータを、
それぞれの通信装置の位置に係る位置情報を保持する位置情報保持手段と、
それぞれの通信装置に係る識別情報と、それぞれの通信装置の識別情報とは異なる匿名情報と、上記位置情報保持手段が保持している位置情報とを対応付けて登録する通信装置情報登録手段と、
発信元の通信装置からの要求に応じて、基準位置の周辺に存在する周辺通信装置を、上記通信装置情報登録手段に登録されている情報に基づいて検索する周辺通信装置検索手段と、
少なくとも上記周辺通信装置検索手段により検出された周辺通信装置の匿名情報を、上記発信元の通信装置に通知する情報通知手段と、
上記発信元の通信装置から、発信先の通信装置に係る匿名情報として、周辺通信装置の匿名情報が通知されると、通知された匿名情報と、上記通信装置情報登録手段に登録されている情報とに基づいて、上記発信先の通信装置に係る識別情報を特定する発信先通信装置特定手段と、
上記発信元の通信装置と、上記発信先の通信装置とを通信させる代理通信手段と
して機能させることを特徴とする通信サービス提供プログラム。
【請求項９】
複数の通信装置と、上記複数の通信装置の間の通信に係るサービスを提供する通信サービス提供装置とを備える通信システムを構成する通信装置に搭載されたコンピュータを、
少なくとも基準位置の周辺に存在する周辺通信装置に係る匿名情報を、上記通信サービス提供装置から取得する周辺通信装置情報取得手段と、
上記周辺通信装置情報取得手段が取得した情報を出力する出力手段と、
発信先に係る匿名情報として、周辺通信装置の匿名情報がユーザにより入力されると、入力された匿名情報を取り込む発信先匿名情報入力手段と、
上記発信先匿名情報入力手段により取り込まれた匿名情報に係る通信装置との通信要求を、上記通信サービス提供装置に通知する通信要求手段と、
上記発信先匿名情報入力手段により取り込まれた匿名情報に係る通信装置と、上記通信サービス提供装置を介して通信する通信手段と
して機能させることを特徴とする通信プログラム。
【発明の詳細な説明】
【技術分野】
【０００１】
本発明は、通信システム、通信方法、通信サービス提供装置、通信サービス提供プログラム、通信装置及び通信プログラムに関し、例えば、携帯電話端末間を通信させるシステムに適用し得る。
【背景技術】
【０００２】
近年、携帯電話端末について、ＧＰＳ測位方式による位置情報通知機能に対応することが、法令によって義務付けられるようになった。総務省の情報通信審議会では、「２００７年４月以降、携帯電話事業者が新規に提供する第３世代携帯電話端末については、原則としてＧＰＳ測位方式による位置情報通知機能に対応する」としている。
【０００３】
特許文献１に記載には、利用者の現在位置を示す地図を画面に表示する方法が記載されている。また、特許文献２には、複数の移動端末間で位置情報を自局の表示画面上で地図に重ねて表示できるようにする方法が記載されている。
【特許文献１】特許公開２００７−２３５４９６
【特許文献２】特許公開２００５−３３３２１７
【発明の開示】
【発明が解決しようとする課題】
【０００４】
しかしながら、特許文献１、２に記載の方法では、移動体通信機器の位置を地図上に表示するのみであるため、位置情報のみを取得できているにすぎず、他の移動体通信機器に対して通信するためには、その移動体通信機器の識別情報（例えば、電話番号や、メールアドレスなど）を予め保持しておく必要があるという問題があった。
【０００５】
そのため、発信側の通信装置において、予め発信先の通信装置に係る識別情報を保持することなく、発信先の通信装置との通信を行うことができる通信システム、通信方法、通信サービス提供装置、通信サービス提供プログラム、通信装置及び通信プログラムが望まれている。
【課題を解決するための手段】
【０００６】
第１の本発明の通信システムは、（１）複数の通信装置と、上記複数の通信装置の間の通信に係るサービスを提供する通信サービス提供装置とを備える通信システムにおいて、（２）上記通信サービス提供装置は、（２−１）それぞれの通信装置の位置に係る位置情報を保持する位置情報保持手段と、（２−２）それぞれの通信装置に係る識別情報と、それぞれの通信装置の識別情報とは異なる匿名情報と、上記位置情報保持手段が保持している位置情報とを対応付けて登録する通信装置情報登録手段と、（２−３）発信元の通信装置からの要求に応じて、基準位置の周辺に存在する周辺通信装置を、上記通信装置情報登録手段に登録されている情報に基づいて検索する周辺通信装置検索手段と、（２−４）少なくとも上記周辺通信装置検索手段により検出された周辺通信装置の匿名情報を、上記発信元の通信装置に通知する情報通知手段と、（２−５）上記発信元の通信装置から、発信先の通信装置に係る匿名情報として、周辺通信装置の匿名情報が通知されると、通知された匿名情報と、上記通信装置情報登録手段に登録されている情報とに基づいて、上記発信先の通信装置に係る識別情報を特定する発信先通信装置特定手段と、（２−６）上記発信元の通信装置と、上記発信先の通信装置とを通信させる代理通信手段とを有し、（３）上記通信装置は、（３−１）少なくとも基準位置の周辺に存在する周辺通信装置に係る匿名情報を、上記通信サービス提供装置から取得する周辺通信装置情報取得手段と、（３−２）上記周辺通信装置情報取得手段が取得した情報を出力する出力手段と、（３−３）発信先に係る匿名情報として、周辺通信装置の匿名情報がユーザにより入力されると、入力された匿名情報を取り込む発信先匿名情報入力手段と、（３−４）上記発信先匿名情報入力手段により取り込まれた匿名情報に係る通信装置との通信要求を、上記通信サービス提供装置に通知する通信要求手段と、（３−５）上記発信先匿名情報入力手段により取り込まれた匿名情報に係る通信装置と、上記通信サービス提供装置を介して通信する通信手段とを有することを特徴とする。
【０００７】
第２の本発明の通信方法は、（１）複数の通信装置と、上記複数の通信装置の間の通信に係るサービスを提供する通信サービス提供装置とを備える通信システムにおける通信方法において、（２）位置情報保持手段、通信装置情報登録手段、周辺通信装置検索手段、情報通知手段、発信先通信装置特定手段、代理通信手段、周辺通信装置情報取得手段、出力手段、発信先匿名情報入力手段、通信要求手段、通信手段を有し、（３）上記位置情報保持手段は、上記通信サービス提供装置において、それぞれの通信装置の位置に係る位置情報を保持し、（４）上記通信装置情報登録手段は、上記通信サービス提供装置において、それぞれの通信装置に係る識別情報と、それぞれの通信装置の識別情報とは異なる匿名情報と、上記位置情報保持手段が保持している位置情報とを対応付けて登録し、（５）上記周辺通信装置検索手段は、上記通信サービス提供装置において、発信元の通信装置からの要求に応じて、基準位置の周辺に存在する周辺通信装置を、上記通信装置情報登録手段に登録されている情報に基づいて検索し、（６）上記情報通知手段は、上記通信サービス提供装置において、少なくとも上記周辺通信装置検索手段により検出された周辺通信装置の匿名情報を、上記発信元の通信装置に通知し、（７）上記発信先通信装置特定手段は、上記通信サービス提供装置において、上記発信元の通信装置から、発信先の通信装置に係る匿名情報として、周辺通信装置の匿名情報が通知されると、通知された匿名情報と、上記通信装置情報登録手段に登録されている情報とに基づいて、上記発信先の通信装置に係る識別情報を特定し、（８）上記代理通信手段は、上記通信サービス提供装置において、上記発信元の通信装置と、上記発信先の通信装置とを通信させ、（９）上記周辺通信装置情報取得手段は、上記通信装置において、少なくとも基準位置の周辺に存在する周辺通信装置に係る匿名情報を、上記通信サービス提供装置から取得し、（１０）上記出力手段は、上記通信装置において、上記周辺通信装置情報取得手段が取得した情報を出力し、（１１）上記発信先匿名情報入力手段は、上記通信装置において、発信先に係る匿名情報として、周辺通信装置の匿名情報がユーザにより入力されると、入力された匿名情報を取り込み、（１２）上記通信要求手段は、上記通信装置において、上記発信先匿名情報入力手段により取り込まれた匿名情報に係る通信装置との通信要求を、上記通信サービス提供装置に通知し、（１３）上記通信手段は、上記通信装置において、上記発信先匿名情報入力手段により取り込まれた匿名情報に係る通信装置と、上記通信サービス提供装置を介して通信することを特徴とする。
【０００８】
第３の本発明の通信サービス提供装置は、（１）複数の通信装置と、上記複数の通信装置の間の通信に係るサービスを提供する通信サービス提供装置とを備える通信システムを構成するサービス提供装置において、（２）それぞれの通信装置の位置に係る位置情報を保持する位置情報保持手段と、（３）それぞれの通信装置に係る識別情報と、それぞれの通信装置の識別情報とは異なる匿名情報と、上記位置情報保持手段が保持している位置情報とを対応付けて登録する通信装置情報登録手段と、（４）発信元の通信装置からの要求に応じて、基準位置の周辺に存在する周辺通信装置を、上記通信装置情報登録手段に登録されている情報に基づいて検索する周辺通信装置検索手段と、（５）少なくとも上記周辺通信装置検索手段により検出された周辺通信装置の匿名情報を、上記発信元の通信装置に通知する情報通知手段と、（６）上記発信元の通信装置から、発信先の通信装置に係る匿名情報として、周辺通信装置の匿名情報が通知されると、通知された匿名情報と、上記通信装置情報登録手段に登録されている情報とに基づいて、上記発信先の通信装置に係る識別情報を特定する発信先通信装置特定手段と、（７）上記発信元の通信装置と、上記発信先の通信装置とを通信させる代理通信手段とを有することを特徴とする通信サービス提供装置。
【０００９】
第４の本発明の通信装置は、（１）複数の通信装置と、上記複数の通信装置の間の通信に係るサービスを提供する通信サービス提供装置とを備える通信システムを構成する通信装置において、（２）少なくとも基準位置の周辺に存在する周辺通信装置に係る匿名情報を、上記通信サービス提供装置から取得する周辺通信装置情報取得手段と、（３）上記周辺通信装置情報取得手段が取得した情報を出力する出力手段と、（４）発信先に係る匿名情報として、周辺通信装置の匿名情報がユーザにより入力されると、入力された匿名情報を取り込む発信先匿名情報入力手段と、（５）上記発信先匿名情報入力手段により取り込まれた匿名情報に係る通信装置との通信要求を、上記通信サービス提供装置に通知する通信要求手段と、（６）上記発信先匿名情報入力手段により取り込まれた匿名情報に係る通信装置と、上記通信サービス提供装置を介して通信する通信手段とを有することを特徴とする。
【００１０】
第５の本発明の通信サービス提供プログラムは、（１）複数の通信装置と、上記複数の通信装置の間の通信に係るサービスを提供する通信サービス提供装置とを備える通信システムを構成するサービス提供装置に搭載されたコンピュータを、（２）それぞれの通信装置の位置に係る位置情報を保持する位置情報保持手段と、（３）それぞれの通信装置に係る識別情報と、それぞれの通信装置の識別情報とは異なる匿名情報と、上記位置情報保持手段が保持している位置情報とを対応付けて登録する通信装置情報登録手段と、（４）発信元の通信装置からの要求に応じて、基準位置の周辺に存在する周辺通信装置を、上記通信装置情報登録手段に登録されている情報に基づいて検索する周辺通信装置検索手段と、（５）少なくとも上記周辺通信装置検索手段により検出された周辺通信装置の匿名情報を、上記発信元の通信装置に通知する情報通知手段と、（６）上記発信元の通信装置から、発信先の通信装置に係る匿名情報として、周辺通信装置の匿名情報が通知されると、通知された匿名情報と、上記通信装置情報登録手段に登録されている情報とに基づいて、上記発信先の通信装置に係る識別情報を特定する発信先通信装置特定手段と、（７）上記発信元の通信装置と、上記発信先の通信装置とを通信させる代理通信手段として機能させることを特徴とする。
【００１１】
第６の本発明の通信プログラムは、（１）複数の通信装置と、上記複数の通信装置の間の通信に係るサービスを提供する通信サービス提供装置とを備える通信システムを構成する通信装置に搭載されたコンピュータを、（２）少なくとも基準位置の周辺に存在する周辺通信装置に係る匿名情報を、上記通信サービス提供装置から取得する周辺通信装置情報取得手段と、（３）上記周辺通信装置情報取得手段が取得した情報を出力する出力手段と、（４）発信先に係る匿名情報として、周辺通信装置の匿名情報がユーザにより入力されると、入力された匿名情報を取り込む発信先匿名情報入力手段と、（５）上記発信先匿名情報入力手段により取り込まれた匿名情報に係る通信装置との通信要求を、上記通信サービス提供装置に通知する通信要求手段と、（６）上記発信先匿名情報入力手段により取り込まれた匿名情報に係る通信装置と、上記通信サービス提供装置を介して通信する通信手段として機能させることを特徴とする。
【発明の効果】
【００１２】
本発明によれば、発信側の通信装置において、予め発信先の通信装置に係る識別情報を保持することなく、発信先の通信装置との通信を行うことができる。
【発明を実施するための最良の形態】
【００１３】
（Ａ）実施形態
以下、本発明による通信システム、通信方法、通信サービス提供装置、通信サービス提供プログラム、通信装置及び通信プログラムの一実施形態を、図面を参照しながら詳述する。なお、この実施形態において、通信装置は、移動体端末である。
【００１４】
（Ａ−１）実施形態の構成
図１は、この実施形態の通信システムの全体構成を示すブロック図である。
【００１５】
図１において、通信システム１では、ネットワークＮに、通信サービス提供装置１０及び３台の移動体端末２０（２０−１〜２０−３）が接続されており、通信サービス提供装置１０により、移動体端末２０に対して、移動体端末２０の間の通信に係るサービスが提供される。また、図１においては、移動体端末２０の間の通信は、通信サービス提供装置１０を介して行われる。また、移動体端末２０−１〜２０−３は、無線通信によりネットワークＮに接続する端末であり、図１において図示は省略しているが、ネットワークＮには、移動体端末２０−１〜２０−３を収容するための無線局や、交換装置が備えられているものとする。ネットワークＮとしては、例えば、既存の携帯電話網を適用しても良いし、インターネットなどのＩＰネットワークを適用しても良く、その種類や通信方式は限定されないものである。なお、通信システム１において、移動体端末２０が配置される数は限定されないものである。
【００１６】
通信サービス提供装置１０は、移動体端末２０−１〜２０−３の間の通信の中継や、移動体端末２０に通信に係る各種サービスの提供を行う装置である。通信サービス提供装置１０と、移動体端末２０−１〜２０−３との間の通信は、図１においては、ネットワークＮ介して行うように記載しているが、ネットワークＮを介さずに直接通信するようにしても良い。
【００１７】
通信サービス提供装置１０は、加入者情報登録部１０１、地図情報登録部１０２、位置情報登録部１０３、匿名情報登録部１０４、代理通信部１０５、送受信部１０６、サービス制御部１０７を有している。通信サービス提供装置１０は、ＣＰＵ、ＲＯＭ、ＲＡＭ、ＥＥＰＲＯＭ、ハードディスクなどのプログラムの実行構成、及び、他の通信装置と通信をするためのインタフェースを有する装置（１台に限定されず、複数台を分散処理し得るようにしたものであっても良い。）に、実施形態の通信サービス提供プログラム等をインストールすることにより構築されるものであり、機能的には上述の図１のように示すことができる。
【００１８】
加入者情報登録部１０１は、移動体端末２０に係る加入者情報を管理する機能を担っている。加入者情報登録部１０１は、例えば、既存の携帯電話網における加入者情報を管理登録するシステムを適用することができる。
【００１９】
地図情報登録部１０２は、移動体端末２０に与えて出力させる地図情報を登録、管理する機能を担っている。地図情報登録部１０２としては、既存の携帯電話網で、携帯電話端末に地図情報を出力するシステムにおいて、地図情報を登録管理するシステムを適用することができる。
【００２０】
地図情報登録部１０２は、移動体端末２０から基準位置の周辺の地図情報の取得の要求が、サービス制御部１０７を介して与えられると、その基準位置の周辺の地図情報を返答する。基準位置の周辺の範囲は、一定距離としても良いし、サービス制御部１０７からの制御に応じた範囲としても良く、その範囲の設定の仕方は限定されないものである。なお、この実施形態において、地図情報を取得する基準位置は、地図情報取得の要求に係る移動体端末２０の位置であるものとして説明する。また、移動体端末２０から地図情報登録部１０２に、地図情報の取得要求が発生するタイミングは、例えば、移動体端末２０のユーザが周辺の移動体端末２０に発信しようとする操作を行った場合などとしても良い。
【００２１】
位置情報登録部１０３は、それぞれの移動体端末２０の位置に係る位置情報を保持管理する機能を担っている。
【００２２】
位置情報登録部１０３が、移動体端末２０の位置を保持する方法としては、移動体端末２０から位置情報の通知を受けるようにしても良いし、位置情報登録部１０３から移動体端末２０に位置情報の要求をするようにしても良いが、この実施形態においては、移動体端末２０から位置情報の通知を行うものとして説明する。また、移動体端末２０から位置情報の通知を行うタイミングは、定期的でも良いし、一定距離以上移動した場合でも良く、そのタイミングは限定されないものである。
【００２３】
匿名情報登録部１０４は、移動体端末２０−１〜２０−３ごとに、識別情報（例えば、電話番号や、メールアドレスなど）とは異なる情報（以下、「匿名情報」という）を管理するものである。
【００２４】
匿名情報は、例えば、移動体端末２０に係る識別情報を通信相手に秘匿しつつ、データの送受信を通信相手と行う際の、通信相手の移動体端末２０を特定するための情報である。例えば、チャットやインスタントメッセージを送受信する際のハンドルネーム（ユーザがネットワーク上で活動するための別名）などが該当する。なお、この実施形態においては、匿名情報は、移動体端末２０ごとに、ユニークなものが割り当てられているものとする。以下の説明においては、例として、移動体端末２０−１の匿名情報は「Ａ」、移動体端末２０−２の匿名情報は「Ｂ」、移動体端末２０−３の匿名情報は「Ｃ」であるものとして説明する。
【００２５】
また、各移動体端末２０の匿名情報は、移動体端末２０側で決定して、通信サービス提供装置１０（匿名情報登録部１０４）に登録するようにしても良いし、通信サービス提供装置１０（匿名情報登録部１０４）側で割り当てるようにしても良いが、この実施形態においては、通信サービス提供装置１０側で決定されるものとして説明する。なお、移動体端末２０側で、匿名情報を決定する場合には、通信サービス提供装置１０（匿名情報登録部１０４）側で、重複する情報の登録要求があった場合に、その登録を拒否するようにしても良い。
【００２６】
匿名情報登録部１０４では、移動体端末２０ごとに、匿名情報と、それに対応する加入者情報登録部１０１における、少なくとも各移動体端末２０の識別情報を含む加入者情報がリンクされているものとする。なお、例えば、匿名情報登録部１０４ではなく、加入者情報登録部１０１において、加入者情報の一要素として匿名情報を登録するようにしても良く、加入者情報と匿名情報が対応付けて管理されていれば、その具体的な登録形式は限定されないものである。
【００２７】
また、匿名情報登録部１０４は、移動体端末２０から基準位置の周辺の移動体端末２０（以下、「周辺移動体端末」という）に係る匿名情報の取得の要求が、サービス制御部１０７を介して与えられると、その基準位置の周辺の移動体端末２０を検索して、検出した移動体端末２０に係る情報を返答する。基準位置の周辺の範囲は、一定距離としても良いし、サービス制御部１０７からの制御に応じた範囲としても良く、その範囲の設定の仕方は限定されないものである。なお、この実施形態において、基準位置は、匿名情報の取得の要求があった移動体端末２０の位置であるものとして説明する。また、移動体端末２０から匿名情報登録部１０４に、基準位置の周辺の移動体端末２０に係る匿名情報の取得要求が発生するタイミングは、例えば、移動体端末２０のユーザが周辺の移動体端末２０に発信しようとする操作を行った場合などとしても良い。
【００２８】
サービス制御部１０７、移動体端末２０内の各構成要素の制御をするものである。
【００２９】
代理通信部１０５は、移動体端末２０−１〜２０−３が匿名情報を利用して移動体端末と通信を実現する際、代理通信を実現する機能を担っている。代理通信部１０５は、移動体端末２０−１〜２０−３の間の通信を中継する際に、発信元及び発信先の移動体端末２０には、通信相手を特定する情報としては、匿名情報のみを通知する。
【００３０】
送受信部１０６は、２０で通信サービス提供装置と移動体端末間の無線信号を送受信する機能を担っている。
【００３１】
移動体端末２０（２０−１〜２０−３）は、送受信部２０１（２０１−１〜２０１−３）、位置情報制御部２０２（２０２−１〜２０２−３）、通信制御部２０３（２０３−１〜２０３−３）、出力部２０４（２０４−１〜２４−３）、入力部２０５（２０５−１、２０５−２、２０５−３）を有している。図１においては、移動体端末２０−１の内部構成のみを示しており、図示は省略しているが、移動体端末２０−１〜２０−３は全て同じ構成であるものとする。
【００３２】
送受信部２０１は、他の通信装置と無線通信する機能を担っている。
【００３３】
位置情報制御部２０２は、当該移動体端末２０の位置情報を取得し、その取得した位置情報を、送受信部２０１などを介して、通信サービス提供装置１０（位置情報登録部１０３）に与える機能を担っている。位置情報制御部２０２は、位置情報を取得する手段としては、例えば、ＧＰＳを用いたものであっても良い。また、位置情報制御部２０２が、位置情報を取得して通信サービス提供装置１０（位置情報登録部１０３）に与えるタイミングは、定期的であっても良いし、ランダムなタイミングであっても良いし、当該移動体端末２０の移動を検知した場合であっても良く、そのタイミングは限定されないものである。また、位置情報制御部２０２は、通信サービス提供装置１０の要求に応じたタイミングで位置情報を取得して送信するようにしても良い。
【００３４】
通信制御部２０３は、匿名情報を利用した他の移動体端末２０との通信を制御する機能などを担っている。
【００３５】
出力部２０４は、ユーザに情報を出力するためのインタフェースの機能を担っており、例えば、通信サービス提供装置１０から与えられた地図情報や、位置情報及び匿名情報などを表示するものである。例えば、移動体端末２０が、携帯電話端末であった場合には、携帯電話端末における表示用ディスプレイなどを用いるようにしても良い。
【００３６】
入力部２０５は、ユーザから入力された情報（例えば、発信先の移動体端末２０に係る匿名情報）を取り込む機能を担っている。例えば、移動体端末２０が携帯電話端末であった場合には、携帯電話端末におけるプッシュボタンや、タッチペンなどの入力手段を用いるようにしても良い。また、入力部２０５において、匿名情報を入力する方法としては、後述する出力部２０４において出力された匿名情報のいずれかをユーザに選択させる方式としても良いし、ユーザに匿名情報そのものを直接入力させる方式としても良く、その入力形式は限定されないものである。
【００３７】
図２は、移動体端末２０−１（出力部２０４−１）において地図情報と共に、周辺の移動体端末２０に係る匿名情報が出力される例について示した説明図である。
【００３８】
図２において、「Ａ」は、自己（移動体端末２０−１）の位置を示し、周辺には、匿名情報が「Ｂ」（移動体端末２０−２）と、匿名情報が「Ｃ」（移動体端末２０−３）の移動体端末２０が存在していることを示している。
【００３９】
通信システム１では、ユーザは、上述の図２のような表示から、通信相手としていずれかの匿名情報の移動体端末２０を入力部２０５を用いて選択する信号を入力することにより、通信サービス提供装置１０を介した通信要求が制御される。例えば、上述の図２において、移動体端末２０−１のユーザが、「Ｂ」（移動体端末２０−２）を通信相手として選択する入力を、入力部２０５−１に行った場合には、匿名情報が「Ｂ」である移動体端末２０との通信要求が、通信サービス提供装置１０に通知され、通信サービス提供装置１０の制御により、移動体端末２０−１と移動体端末２０−２との間の通信路が確立され、通信が開始することになる。このようにして、通信システム１では、移動体端末２０間の通信において、移動体端末２０自体の識別情報ではなく、匿名情報という別の情報を用いて通信が行われる。
【００４０】
なお、移動体端末２０の間の通信内容については、例えば、音声通話、インスタントメッセージ、チャット、メールなどでも良く限定されないものである。
【００４１】
（Ａ−２）実施形態の動作
次に、以上のような構成を有すこの実施形態の通信システムの動作（実施形態の通信方法）を説明する。
【００４２】
ここでは、移動体端末２０−１から移動体端末２０−２へ、匿名情報を利用した通信が発信され、通信が開始する例について説明する。なお、上述の通り、移動体端末２０−１の匿名情報は「Ａ」、移動体端末２０−２の匿名情報は「Ｂ」として説明する。
【００４３】
図３は、移動体端末２０が通信サービス提供装置１０に位置情報を通知する動作について示したシーケンス図である。
【００４４】
まず、位置情報制御部２０２−１において、移動体端末２０−１の位置情報が取得され（Ｓ１０１）、通信サービス提供装置１０に対して位置情報を通知することが、制御部２０６−１に要求されると、制御部２０６−１により、送受信部２０１−１を介して、通信サービス提供装置１０に位置情報通知が送信される（Ｓ１０２、Ｓ１０３）。
【００４５】
通信サービス提供装置１０では、送受信部１０６により、位置情報通知を受信すると、サービス制御部１０７により、位置情報登録部１０３が制御され（Ｓ１０４）、位置情報登録部１０３に移動体端末２０−１の位置情報が登録される（Ｓ１０５、Ｓ１０６）。
【００４６】
なお、図３において図示は省略しているが、移動体端末２０−２（Ｂ）についてもステップＳ１０１〜Ｓ１０６と同様の処理により、通信サービス提供装置１０（位置情報登録部１０３）が登録されているものとして以降の説明を行う。
【００４７】
図４は、移動体端末２０−１における地図情報取得の動作について示したシーケンス図である。
【００４８】
移動体端末２０−１では、制御部２０６−１により、通信サービス提供装置１０に対して地図情報の取得要求が通知される（Ｓ２０１、Ｓ２０２）。
【００４９】
地図情報の取得要求が通知されると、通信サービス提供装置１０では、サービス制御部１０７により、地図情報登録部１０２に、移動体端末２０−１の周辺の地図情報を取得する指示が通知される（Ｓ２０３、Ｓ２０４）。
【００５０】
移動体端末２０−１の周辺の地図情報を取得する指示が通知されると、地図情報登録部１０２では、移動体端末２０−１の周辺の地図情報が抽出され（Ｓ２０５）、抽出された情報が、サービス制御部１０７を介して、移動体端末２０−１に送信される（Ｓ２０６、Ｓ２０７）。
【００５１】
そして、地図情報が受信されると、移動体端末２０−１では、その地図情報が出力部２０４により表示される（Ｓ２０８）。
【００５２】
図５は、通信システム１における、匿名情報の生成保持の動作について示したシーケンス図である。
【００５３】
まず、移動体端末２０−１の制御部２０６−１から、送受信部２０１−１を介して、通信サービス提供装置１０に対して匿名情報の生成要求が通知されたものとする（Ｓ３０１、Ｓ３０２）。
【００５４】
通信サービス提供装置１０では、送受信部１０６により、匿名情報生成要求が受信されると（Ｓ３０３）、サービス制御部１０７の制御により、匿名情報登録部１０４に、移動体端末２０−１の匿名情報生成指示が通知される（Ｓ３０４）。
【００５５】
匿名情報生成指示が通知されると、匿名情報登録部１０４から、加入者情報登録部１０１に対して加入者情報取得要求が通知される（Ｓ３０５）。
【００５６】
加入者情報取得要求が通知されると、加入者情報登録部１０１では、登録している情報から移動体端末２０−１の加入者情報が検索され（Ｓ３０６）、検出された加入者情報が、匿名情報登録部１０４に返答される（Ｓ３０７）。
【００５７】
加入者情報が通知されると、匿名情報登録部１０４は、移動体端末２０−１の位置情報を、加入者位置情報登録部１０３に要求する（Ｓ３０８）。
【００５８】
移動体端末２０−１の位置情報の要求が通知されると、位置情報登録部１０３では、登録されている情報から、移動体端末２０−１の位置情報を検索し（Ｓ３０９）、匿名情報登録部１０４に返答する（Ｓ３１０）。
【００５９】
移動体端末２０−１の位置情報が通知されると、匿名情報登録部１０４では、移動体端末２０−１の匿名情報を生成する（Ｓ３１１）。
【００６０】
そして、サービス制御部１０７の制御により、匿名情報登録部１０４から、移動体端末２０−１へ、匿名情報生成確認が通知される（Ｓ３１２、Ｓ３１３）。
【００６１】
そして、移動体端末２０−１では、通信サービス提供装置１０から匿名情報生成確認が通知されると、その内容が、出力部２０４−１により出力される（Ｓ３１４）。
【００６２】
図６は、通信システム１における、匿名情報の配信の動作について示したシーケンス図である。
【００６３】
まず、移動体端末２０−１の制御部２０６−１から、送受信部２０１−１を介して、通信サービス提供装置１０に対して、当該移動体端末２０−１の周辺移動体端末に係る情報（匿名情報及び位置情報）の要求が通知される（Ｓ４０１、Ｓ４０２）。
【００６４】
周辺移動体端末に係る情報の要求が通知されると、通信サービス提供装置１０では、サービス制御部１０７により、匿名情報登録部１０４が制御され、移動体端末２０−１の周辺移動体端末に係る情報の取得の指示が通知される（Ｓ４０４）。
【００６５】
移動体端末２０−１の周辺移動体端末に係る情報の取得の指示が通知されると、匿名情報登録部１０４では、移動体端末２０−１の位置情報に基づいて、登録されている匿名情報から、移動体端末２０−１の周辺移動体端末が検索され（Ｓ４０５）、検出された周辺移動体端末に係る匿名情報及び位置情報が、サービス制御部１０７に通知される（Ｓ４０６）。
【００６６】
そして、周辺移動体端末に係る匿名情報及び位置情報が通知されると、サービス制御部１０７により、その通知された情報が、送受信部１０６を介して、移動体端末２０−１に通知される（Ｓ４０７）。
【００６７】
そして、周辺移動体端末に係る匿名情報及び位置情報が通知されると、移動体端末２０−１では、制御部２０６−１により、出力部２０４−１が制御され、通知された周辺移動体端末に係る匿名情報及び位置情報が出力される（Ｓ４０８）。
【００６８】
例えば、ステップＳ４０８で、出力部２０４−１により出力される内容は、上述の図２に示すような地図情報上に匿名情報をマッピングした表示画面としても良い。
【００６９】
図７は、通信システム１における、移動体端末２０間の通信開始の動作を示したシーケンス図である。
【００７０】
まず、移動体端末２０−１において、匿名情報がＢである移動体端末２０−２に対して、匿名情報を用いた通信の開始の信号が、ユーザにより入力部２０５−１に入力されたものとすると（Ｓ５０１）、位置情報制御部２０２−１により、通信サービス提供装置１０へ、その通信の開始要求が通知される（Ｓ５０２、Ｓ５０３）。
【００７１】
匿名情報を用いた通信開始要求が通知されると、通信サービス提供装置１０のサービス制御部１０７では、その通信の制御が開始される（Ｓ５０４）。
【００７２】
そして、サービス制御部１０７から、匿名情報登録部１０４に、匿名情報がＢである移動体端末（移動体端末２０−２）に係る加入者情報の取得の指示が通知される（Ｓ５０５）。
【００７３】
そして、匿名情報登録部１０４では、匿名情報がＢである移動体端末は、登録している情報から、匿名情報がＢである移動体端末として移動体端末２０−２が特定され、移動体端末２０−２に係る加入者情報の取得が、加入者情報登録部１０１に通知される（Ｓ５０６）。
【００７４】
そして、移動体端末２０−２に係る加入者情報の取得が通知されると、加入者情報登録部１０１では、登録している情報から、移動体端末２０−２に係る加入者情報が検出され（Ｓ５０７）、匿名情報登録部１０４に通知される（Ｓ５０８）
そして、移動体端末２０−２に係る加入者情報が通知されると、匿名情報登録部１０４通知により、その加入者情報が、さらにサービス制御部１０７に通知される（Ｓ５０９）。
【００７５】
匿名情報がＢの移動体端末２０として、移動体端末２０−２の加入者情報が通知されると、サービス制御部１０７により、代理通信部１０５に、移動体端末２０−２へ代理で通信要求を行うように指示が通知される（Ｓ５１０）。
【００７６】
そして、代理通信要求が通知されると、代理通信部１０５から、移動体端末２０−２に通信要求が通知される（Ｓ５１１）。
【００７７】
通信要求が通知されると、移動体端末２０−２の制御部２０６−２では、その通信要求に応答するか否か判定され、応答すると判定された場合には、通信サービス提供装置１０（代理通信部１０５）に通信応答を通知する（Ｓ５１２）。
【００７８】
ステップ５１２における通信要求に応答するか否かの判定は、移動体端末２０−２において、応答するか否かを入力部２０５−２に入力するように促す出力を、出力部２０４−２に行い、ユーザが入力した信号を入力部２０５−２により取り込み、その取り込んだ信号に基づいて判定するようにしても良いし、予め応答するか否かを移動体端末２０−２に登録しておいて、自動的に判定するようにしても良く、その判定方法は限定されないものである。例えば、ディスプレイ表示や音声などによりユーザに応答の要否を入力させるメッセージを出力し、ボタン操作などによりユーザに応答の要否を入力させることなどが挙げられる。なお、ステップＳ５１２において、通信要求に応答しないと判定された場合には、移動体端末２０−１と移動体端末２０−２との間の通信は行われず処理は終了することになるが、図７においては、通信要求に応答するという判定が行われ、処理が継続するものとして説明する。
【００７９】
そして、通信サービス提供装置１０（代理通信部１０５）に、通信応答が通知されると（Ｓ５１３）、代理通信部１０５から、移動体端末２０−１に代理通信の確認応答が通知される（Ｓ５１４）。
【００８０】
代理通信の確認応答が通知されると、移動体端末２０−１では、出力部２０４−１により、匿名情報による通信の確認が表示される（Ｓ５１５）。
【００８１】
その後、移動体端末２０−１と、移動体端末２０−２の間は、通信サービス提供装置１０（代理通信部１０５）を介した通信が開始される。
【００８２】
（Ａ−３）実施形態の効果
この実施形態によれば、以下のような効果を奏することができる。
【００８３】
上述の図３〜図７の処理により、移動体端末２０−１と、移動体端末２０−２の間は、通信サービス提供装置１０（代理通信部１０５）を介して通信することができるが、移動体端末２０−１と、移動体端末２０−２との間でやりとりされる識別情報は、匿名情報であるため、例えばお互いの電話番号やメールアドレスなどの識別情報に係る情報を通知せずに通信をすることができる。匿名情報は、通信サービス提供装置１０でのみ加入者情報と対応付けられて管理されるため、移動体端末２０を所持しているユーザは、通信相手に対して自己の加入者情報を知らせる必要がなく、加入者情報が通信相手に対してセキュアーであるという効果を奏することができる。
【００８４】
また、上述の図２に示すように、移動体端末２０（出力部２０４）では、周辺の移動体端末２０に係る匿名情報を周辺の地図情報に重ねて表示させることにより、地図上にマッピングされた匿名情報を利用して、ユーザは通信相手を特定することができるので、通信相手を特定する判断が容易になるという効果を奏する。
【００８５】
（Ｂ）他の実施形態
本発明は、上記の実施形態に限定されるものではなく、以下に例示するような変形実施形態も挙げることができる。
【００８６】
（Ｂ−１）上記の実施形態において、移動体端末２０の位置情報は、ＧＰＳを用いて取得しているが、ＧＰＳに限らず他の方法により位置情報を取得するようにしても良い。例えば、移動体端末２０が携帯電話端末であれば、その携帯電話端末と無線基地局との間の通信状況（例えば、電波の受信強度や受信方向）と、その無線基地局の位置とに基づいて、携帯電話端末の位置を割り出すようにしても良い。その場合、予め基地局やアクセスポイントの位置情報は、通信サービス提供装置１０において登録しておく必要がある。
【００８７】
例えば、携帯電話端末の詳細な位置を割り出す必要が無い場合は、携帯電話端末が収容されている無線基地局の位置を携帯電話端末の位置とみなすようにしても良い。特に、移動体端末２０における通信方式が、例えば、ＰＨＳ（Ｐｅｒｓｏｎａｌ Ｈａｎｄｙ-ｐｈｏｎｅ Ｓｙｓｔｅｍ）や無線ＬＡＮを用いている場合には、基地局やアクセスポイントから通信できる範囲は、非常に限られるため、基地局自体を移動体端末２０の位置とみなしても誤差が大きく生じない場合がある。
【００８８】
また、上記の実施形態においては、移動体端末２０の位置情報は、ＧＰＳなどを用いて２次元な位置情報のみを適用しているが、例えば、移動体端末２０が位置しているビルのフロアなど、３次元で移動体端末２０の位置情報を把握するようにしても良い。例えば、上述のように、移動体端末２０が収容されている基地局やアクセスポイントを基準として移動体端末２０の位置を特定する際に、基地局やアクセスポイントがフロアをまたいで通信できない場合には、移動体端末２０が位置しているフロアまで特定することができる。
【００８９】
また、例えば、ＧＰＳによる位置情報の取得する方式と、上述のような基地局やアクセスポイントとの通信状況に応じて、移動体端末２０の位置情報を取得する方式とを組み合わせても良い。これにより、例えば、屋内など、ＧＰＳによる位置情報が取得できない場所でも、移動体端末２０の位置情報を取得できる。
【００９０】
（Ｂ−２）上記の実施形態において、通信サービス提供装置１０（地図情報登録部１０２）が、移動体端末２０に与える地図情報の範囲や縮尺を変動させるようにしても良い。例えば、移動体端末２０が、移動しており、その移動速度が速いほど、地図の範囲を広くし、縮尺を小さくするようにしても良い。移動体端末２０の速度に係る情報を取得する方法としては、例えば、定期的に移動体端末２０（位置情報制御部２０２）が位置情報を取得することにより、単位時間当たりの移動距離から移動速度を計算することができる。また、例えば、周辺の移動体端末２０の分布の状況に応じて、地図情報の範囲や縮尺を変動させるようにしても良い。例えば、少なくとも所定数以上、周辺の移動体端末２０が地図上に現れるように地図情報の範囲や縮尺を設定するようにしても良い。
【００９１】
また、上記の実施形態において、通信サービス提供装置１０（匿名情報登録部１０４）が、移動体端末２０に、周辺に位置している移動体端末２０の匿名情報を検索する際に、周辺の範囲を動的に変動させるようにしても良い。例えば、移動体端末２０が、移動しており、その移動速度が速いほど、広範囲に位置する移動体端末２０を周辺のものとして判定しても良い。移動体端末２０の移動速度に係る情報を取得する方式は上述と同様である。また、例えば、範囲を問わず、少なくとも所定数以上の移動体端末２０が含まれるように、範囲を設定しても良い。
【００９２】
（Ｂ−３）上記の実施形態においては、通信サービス提供装置１０（匿名情報登録部１０４）では、匿名情報を管理しているが、匿名情報以外にも、移動体端末２０や、移動体端末２０を所持しているユーザに係る情報も併せて管理するようにしても良い。
【００９３】
例えば、移動体端末２０を所持しているユーザの状態に係る情報（例えば、プレゼンス情報など）を匿名情報と対応付けて管理し、匿名情報取得の要求があった移動体端末２０に通知して出力するようにしても良い。これにより、例えば、移動体端末２０を所持するユーザが、他のユーザから匿名情報を用いて通信の要求があった場合でも、通信を受け付けが可能か否かなどを、発信元の移動体端末２０のユーザに知らせることができ、発信元のユーザは、受付可能な移動体端末２０を選択することが容易となる。
【００９４】
（Ｂ−４）上記の実施形態では、通信サービス提供装置１０（匿名情報登録部１０４）において、匿名情報取得の要求のあった移動体端末２０の位置情報に基づいて、周辺の移動体端末２０を検索しているが、要求元の移動体端末２０に限定されず、要求元の移動体端末２０から指定された基準位置の位置情報に基づいて、その基準位置の周辺の移動体端末２０を検索するようにしても良い。
【００９５】
例えば、要求元の移動体端末２０のユーザに、入力部２０５により、上述の基準位置の位置情報（例えば、ＧＰＳにおける座標や、住所、地名、建物名など）を入力させ、その入力させた基準位置の位置情報に基づいて周辺の移動体端末２０を検索するようにしても良い。これにより、例えば、要求元の移動体端末２０のユーザが、これから移動する先の場所に関する情報を知りたい場合などに、移動先を基準位置とすることにより、基準位置の周辺において移動体端末２０を所持するユーザから必要な情報を聞くことができる。
【００９６】
（Ｂ−５）上記の実施形態においては、通信システム１において、通信サービス提供装置１０が通信を中継する対象は移動体端末として説明したが、有線により通信を行う通信装置に置き換えても良く、通信方式は限定されないものである。また、移動体端末を端末ではなく、例えば、配下に他の通信装置を収容する通信装置（例えば、ルータやスイッチなどの）に置き換えても良い。
【００９７】
（Ｂ−６）上記の実施形態においては、通信サービス提供装置１０から移動体端末２０に地図情報を送信して、移動体端末２０においては、上述の図２に示すように、出力部２０４により地図上に匿名情報をマッピングして表示しているが、地図の表示を省略しても良い。例えば、出力部２０４において、当該移動体端末２０との相対的な位置に匿名情報をマッピングして表示するだけにしても良いし、単に周辺の移動体端末２０に係る匿名情報を一覧として表示するだけでも良い。また、周辺の移動体端末２０に係る匿名情報と、位置情報（例えば、ＧＰＳ上における座標）の一覧を表示するようにしても良い。このように、出力部２０４における周辺の移動体端末２０に係る匿名情報を出力する内容は、ユーザが通信相手を選択することができれば、出力内容の形式は限定されないものである。
【００９８】
（Ｂ−７）上記の実施形態においては、移動体端末２０−１と移動体端末２０−２との１対１の通信について説明したが、３者以上の通信（例えば、電話会議や、チャット）に適用するようにしても良い。例えば、移動体端末２０−１から移動体端末２０−２へ通信中に、移動体端末２０−１から移動体端末２０−３への通信も同時に確立させるようにしても良い。
【図面の簡単な説明】
【００９９】
【図１】実施形態に係る通信システムの全体構成を示したブロック図である。
【図２】実施形態に係る、移動体端末の出力部において表示出力される内容の例について示した説明図である。
【図３】実施形態に係る、移動体端末が通信サービス提供装置に位置情報を通知する動作について示したシーケンス図である。
【図４】実施形態に係る、移動体端末における地図情報取得の動作について示したシーケンス図である。
【図５】実施形態に係る、通信システムにおいて、匿名情報の生成保持の動作について示したシーケンス図である。
【図６】実施形態に係る、通信システムにおいて、匿名情報の配信の動作について示したシーケンス図である。
【図７】実施形態に係る、通信システムにおいて、移動体端末（通信装置）間の通信開始の動作を示したシーケンス図である。
【符号の説明】
【０１００】
１…通信システム、１０…通信サービス提供装置、１０１…加入者情報登録部、１０２…地図情報登録部、１０３…位置情報登録部、１０４…匿名情報登録部、１０５…代理通信部、１０６…送受信部、１０７…サービス制御部、２０、２０−１〜２０−３…移動体端末、２０１、２０１−１〜２０１−３…送受信部、２０２、２０２−１〜２０２−３…位置情報制御部、２０３、２０３−１〜２０３−３…通信制御部、２０４、２０４−１〜２０４−３…出力部、２０５、２０５−１〜２０５−３…入力部、２０６、２０６−１〜２０６−３…制御部、Ｎ…ネットワーク。
【図１】
2010034658.tif 000003
【図２】
2010034658.tif 000004
【図３】
2010034658.tif 000005
【図４】
2010034658.tif 000006
【図５】
2010034658.tif 000007
【図６】
2010034658.tif 000008
【図７】
2010034658.tif 000009